(57)【要約】【目的】電子レンジで湯を沸かすと同時に、沸かした湯で被抽出物から成分を抽出し濾過して抽出液を得る電子レンジ用の濾過器を提供する。【構成】容器本体２と、容器本体の開口部６を気密に閉塞する開閉自由な蓋体３から構成される濾過器１であって、容器本体の底部９に形成する貫通孔状の装着部１０に被抽出物５を封入するフィルター付きカートリッジ４を着脱自由に嵌合装着する。このカートリッジの装着によって前記装着部１０を塞いだ容器本体２の内部に電子レンジによる加熱を受けて沸騰すると共に、カートリッジ内に浸透して前記被抽出物５を湿潤する所要量の水２５を注入し、この状態で容器本体の開口部６を前記蓋体３で密閉して電子レンジに収納し、加熱することによって前記水２５を沸騰させると共に、この沸騰水を内部で発生する蒸気圧で前記カートリッジ４に通し被抽出物から抽出液を抽出し、カップ等の容器２６に直接受けるようする。【選択図】図３
2010148704.tif 000002
【特許請求の範囲】
【請求項１】
カップ状の容器本体と、該容器本体の開口部を気密に閉塞する開閉自由な蓋体とから構成され、前記容器本体はその底部に貫通孔状の装着部を有し、使用時には該装着部に被抽出物を封入するフィルター付きカートリッジを着脱自由に嵌合装着すると共に、該カートリッジの装着によって前記装着部が塞がれる容器本体の内部に電子レンジによる加熱を受けて沸騰され、且つ前記カートリッジ内に浸透し被抽出物を湿潤して成分を抽出する所要量の水を注入せしめ、この状態にして該容器本体の開口部を前記蓋体で密閉して電子レンジに収納し、加熱することにより前記カートリッジの被抽出物から抽出液を抽出濾過することを特徴とした電子レンジ用のコーヒー等の濾過器。
【請求項２】
容器本体と蓋体とはヒンジ具によって開閉自由に連結すると共に、蓋体の開閉自由端を容器本体に設けるクランプによって係止し、気密に閉塞することを特徴とした請求項１に記載の電子レンジ用のコーヒー等の濾過器。
【請求項３】
容器本体の開口部と蓋体の下面周縁部には捻回操作によって係脱自由に係合し気密に閉塞する雄，雌の関係にあるねじ部を形成してなることを特徴とした請求項１に記載の電子レンジ用のコーヒー等の濾過器。
【請求項４】
容器本体の開口部と蓋体の下面の双方又はいずれか一方に密閉用パッキンを一体に設けてなることを特徴とした請求項１乃至３に記載の電子レンジ用コーヒー等の濾過器。
【請求項５】
容器本体の底部に形成する装着部は、下方に向けて徐々に縮径するテーパー状の貫通孔であることを特徴とした請求項１乃至４に記載の電子レンジ用のコーヒー等の濾過器。
【請求項６】
容器本体の底部に形成する装着部は、上端開口部を囲んで底部上面を削って環状の鍔受け用凹部を備えることを特徴とした請求項１乃至５に記載の電子レンジ用のコーヒー等の濾過器。
【請求項７】
容器本体及び蓋体は電子レンジのマイクロ波を透過すると共に、所要の耐圧性，耐熱性及び耐水性を有する陶器，プラスチック等の素材で形成されることを特徴とした請求項１乃至６に記載の電子レンジ用のコーヒー等の濾過器。
【発明の詳細な説明】
【技術分野】
【０００１】
本発明は、電子レンジを使用してコーヒーや茶等の被抽出物からその成分を抽出し濾過する簡易型の濾過器に関する。
【背景技術】
【０００２】
従来からコーヒー液を抽出する濾過器にはサイホン式やパーコレータ式，或はドリップ式等各種の抽出法があり、またこれ等について多種多様な濾過器が提案され、実用化されている。
これらの濾過器は、コーヒー液の抽出に限って使用されるものではなく、その構造に合せて緑茶や紅茶、その他の被抽出物にも利用されるが、コーヒーに限って言えば最近手近なものとしてドリップ式の簡易型濾過器が各種改善を加えて多数提案されるている。
【０００３】
中でも使い捨てに係るドリップ式の簡易型濾過器には、フィルタを換えることによって、或はコーヒー粉末等を封入するフィルタ製のカートリッジを取り替えることで、簡単に利用できることから、簡易型濾過器として広く普及しており、家庭において日常的に利用されるようになっている。
言うまでもなく、この種ドリップ式に係る濾過器は、使用する際、例えばフィルタに蓄えたコーヒー粉末等に対して、或は粉末を収容したカートリッジに向けて熱湯を注ぎ込み、この熱湯により抽出された液を上記フィルタで濾過しながらカップ等の容器に受けることで簡単に濾過抽出液として回収するものであり、その容易さから広く便利に使用されている。
【０００４】
しかし、この熱湯を注ぐことで成分を抽出する濾過器は、使用に当って先ず熱湯を必要とすること、従って、その準備がない場合には水を沸さなければならず、直ぐにと言った場合にそれに対応できないことがある。
この様なことから近時電子レンジによる湯沸しに着目して、電子レンジを利用して水を加熱し、熱湯を得ると同時に、この熱湯をフィルタに受けたコーヒー粉末に直接注いで成分を抽出し、直ちにこの抽出液、つまりコーヒー液をコーヒーカップ等の抽出液回収用容器に受けるようにした、つまり湯沸しの作業と、成分の抽出作業とを同時にする電子レンジを使った濾過方法乃至その濾過器が提案されるに至っている。例えば、この様な電子レンジを使った濾過方法乃至濾過器の例として以下の特許文献１〜７が挙げられる。
【０００５】
【特許文献１】特開平０１−１４８２１２号公報。
【特許文献２】特開平０１−２５４１２３号公報。
【特許文献３】特開昭６４−  ４９５１４号公報。
【特許文献４】特開２００５−  ４６１６５号公報。
【特許文献５】特開２００１−１３７１１７号公報。
【特許文献６】特開２０００−３１６７２６号公報。
【特許文献７】特開２００２−  ５８５９８号公報。
【０００６】
特許文献１に記載の発明は、電子レンジＡ内に収容した水の容器１２の水を電子レンジの高周波（マイクロ波）によって加熱し、この加熱水、つまり湯をサイホンの作用で濾過器１８に導いてフィルタに受けた被抽出物に注ぎ、その抽出液を受器２０に受けるようにしたものである。
つまり、この特許文献１の抽出器具は、電子レンジを使って水を加熱し、この加熱水を直接電子レンジ内に収容する濾過器に注ぎ、抽出するとした提案であり、水の加熱とこの加熱した湯を直接濾過器に注ぐようにした点に特徴がある。
【０００７】
この点、特許文献２に記載される発明も略同様のもので、電子レンジ内で水を加熱して得た湯によって被抽出物を濾過し、抽出液を得るようにしたものである。
【０００８】
次に、特許文献３に記載の発明は、水を収容する容器１にコーヒー粉を収容する抽出部５を収めて電子レンジによる加熱によって上記抽出部５の切欠部３を開いてコーヒー粉７に湯を注ぎ、フィルターを通して抽出液を得るとしたものである。
【０００９】
また、特許文献４に記載の発明は、電子レンジを利用して水４７を加熱し、得られる湯を抽出材４５に注ぐ一方、所定の温度に上記水４７が上昇するのに併せて機能性フィルタ４３の抽出液４７の通過を可能にして水の状態での濾過を防止する構造にした飲料用抽出装置に係るものである。
【００１０】
また、特許文献５，６に記載の発明は、電子レンジ内で濾過する点で、上記各濾過装置と共通するが、ここでは抽出容器の中に抽出液８、つまり水と抽出飲料材、つまり被抽出物とを予め一緒に収めて電子レンジで加熱し、水を沸かすと共に、電子レンジの加熱力を使って膨張袋を膨らませ、この膨張を利用して弁を開き抽出液の滴下を開始するようにしたものである。
【００１１】
更に、特許文献７の抽出装置は、フィルタに特殊フィルタの機能性フィルタ６を使って電子レンジによって抽出液５を加熱し、抽出材４からの成分の抽出を進める一方、この抽出液５が所定の温度に上昇したとき、この温度を使って上記機能性フィルタ６の濾過を開始させ、抽出液５が水の状態でフィルタを通過しないようにしたものである。
【００１２】
この様に、従来から電子レンジを利用したコーヒー等の濾過装置、濾過方法の提案が各種あるが、これらは濾過に要する湯を電子レンジによって水の状態から加熱することにより得、同時に得られた湯を同じく電子レンジ内に収めるフィルタ及び抽出液の受け容器を中心とした濾過器に直接注ぐようにして湯沸しと、抽出液の濾過とを１つの電子レンジ内で処理するとしたものである。つまり、湯沸し作業と濾過作業を同時にする点でそれぞれ共通しており、特徴ともなっている。
【００１３】
しかし、上記濾過作業の部分、過程につきみると、サイホン式にしろ、ドリップ式にしろ従来一般に行われて来た濾過方式、濾過装置と基本的に変わることがなく、唯一特徴とする点は電子レンジによる湯の加熱と、得られた湯をそのまゝ電子レンジ内で濾過器に通して抽出液を得るようにしたことに過ぎない。
【発明の開示】
【発明が解決しようとする課題】
【００１４】
本発明は、上述の様に電子レンジを使って濾過のために使用する水を加熱し、湯を得ることに併せてこの湯をそのまゝ電子レンジ内で濾過器，濾過装置に供給し、コーヒー粉末等の被抽出物に注いで抽出液を濾過抽出し、これを同じく電子レンジ内で容器に受けることで全ての作業、つまり湯沸しと、濾過作業を１つの電子レンジで行うようにしたことについて、更に検討改善を加えて研究開発したものである。
【００１５】
更に言えば、本発明は電子レンジの特性的な機能を更に別の面から利用し、効率的に且つ簡便に、しかも高濃度で、できるだけ風味を損なうことのない抽出液が得られる電子レンジを利用して濾過するコーヒーや茶等の抽出濾過に適した濾過器を提供しようとするものである。
【００１６】
従来の電子レンジを利用した濾過装置は、既に述べたところで明らかなように、いずれの場合も電子レンジは被抽出物に注ぐための湯を沸す湯沸し器として専ら使われている。そして、ここで沸された湯を直ちに濾過器に供給するため、同じ電子レンジ内にこの濾過器を格納し、湯沸し作業と濾過作業を同時一連に行うようにしている。
しかし、この方法，装置は電子レンジを使用していながら単に湯沸し器として利用しているに過ぎず、電子レンジのもつ本来的な機能，特性を充分に利用したものとはなっていない。むしろ一部のものにおいては電子レンジによって被抽出物が焦げて風味を損なうと言った問題を生じさせている。
【課題を解決するための手段】
【００１７】
従って、本発明は電子レンジの利用に当ってこの電子レンジの機能を最大限有効に活用してコーヒー、茶等の抽出，濾過に利用できるようにした電子レンジ用のコーヒー等の濾過器を提供しようとするものである。
電子レンジの利用は、水を加熱することで効率的に湯を沸すことができるが、従来の電子レンジを利用した濾過器は、この湯沸し機能を利用して直接的に湯を沸すことまでであり、更なる機能の活用はされていない。
【００１８】
本発明は、電子レンジのマイクロ波によって成分の抽出に使用する湯を沸すと同時に、この湯の沸騰に併せて発生する蒸気を濾過器の内部に貯えてこの蒸気圧を沸騰する湯に作用させて内圧を高め、この圧力の掛った湯を濾過器の内部に収容する被抽出物、例えばコーヒー粉末や茶等に浸透力として作用させて積極的に透過させ、これにより成分を抽出した抽出液（コーヒー液等）を濾過器の出口に備えるフィルタに通し、濾過しながらコーヒーカップ等の抽出液回収用容器に滴下回収するものとしたのである。
つまり、本発明はコーヒー等の濾過抽出に当って電子レンジによって水を加熱し、沸騰させると同時に、この加熱沸騰によって発生する蒸気圧を濾過器の内部に貯え、この蒸気圧を逆にその基となった沸騰した湯に作用させてコーヒー等の被抽出物に対して強制的に浸透透過させ、効率的に濾過するようにしたことにある。
【００１９】
この電子レンジによる湯沸しに伴って発生する蒸気圧を利用して濾過する本発明濾過器について更に詳述すると、第１の発明は、カップ状の容器本体と、該容器本体の開口部を気密に閉塞する開閉自由な蓋体とから構成され、前記容器本体はその底部に貫通孔状の装着部を有し、使用時には該装着部に被抽出物を封入するフィルター付きカートリッジを着脱自由に嵌合装着すると共に、該カートリッジの装着によって前記装着部が塞がれる容器本体の内部に電子レンジによる加熱を受けて沸騰され、且つ前記カートリッジ内に浸透して被抽出物を湿潤し成分を抽出する所要量の水を注入せしめ、この状態にして該容器本体の開口部を前記蓋体で密閉し、電子レンジに収納して加熱することにより前記カートリッジの被抽出物から抽出液を抽出濾過することを特徴とした電子レンジ用のコーヒー等の濾過器を提供することにある（請求項１に係る発明）。
【００２０】
この発明の濾過器は、前記容器本体の底部に形成する貫通孔状の装着部に被抽出物を封入したカートリッジを嵌合し装着することによってこの装着部を塞ぐことになり、そうした状態においてこの容器本体の中に所要量の水を注ぎ込むことになる。その後、この容器本体の開口部を蓋体で気密に閉じ、この状態において抽出液を受ける抽出液回収容器、つまりカップ上に載置してセットし、次にこのセットした状態で濾過器を電子レンジに収納して所要時間加熱することになる。
【００２１】
前記容器本体に水が注入されると、この水の一部が装着部に装着されたカートリッジ内に浸透し、内部の被抽出物を湿潤することになる。次に、この状態において上記容器本体に蓋体を被せ密閉すると内部が気密状態となることから上記カートリッジ内に浸透した水は流れを止め、被抽出物を湿潤した状態を保持して自然流出を止めることになる。  
【００２２】
前記濾過器は、抽出液回収容器上にセットされて電子レンジ内に持ち込まれ、加熱操作されると、マイクロ波を受けて注入した水が加熱され、時間の経過と共に沸騰することになり、同時に前記被抽出物に浸透した水にもマイクロ波が達することからカートリッジの内部において加熱されることになる。従って、この加熱に際して被抽出物には水が浸透しているため焦げることがなく、そのまゝ加熱された湯によって抽出液を出すことになる。その一方、上記沸騰した水から発生する水蒸気が容器本体の上部空間に溜まり、蒸気圧を高めることになる。
【００２３】
この様にして加熱が継続され、次第に蒸気圧が蓄積されると、一定の段階に達した時点で濾過器内で沸騰する湯を押圧することになり、底部の装着部側に押し出すことになる。そのため、押圧された湯は前記カートリッジへと向かって浸透を進め、更に被抽出物を透過して抽出液を作りながらこのカートリッジを通過し、濾過器の容器本体の下にセットした回収容器へと押し出し、滴下させ回収することになる。  
【００２４】
ところで、本発明の濾過器は、前記セットした状態では内部が密閉されることから、注入された水が装着部に装着されたカートリッジを通して流れ落ちると、濾過器の内部に負圧が発生することになる。
上記負圧は微弱なものであるが、水はカートリッジに詰まった被抽出物の中を通って流れるため、その透過力は小さく、従ってこの負圧の発生によって自由に流下するのを阻止されることになり、これにより水漏れ状態が未然に防止されることになる。その一方、この状態において加熱によって容器内部の水が沸騰し、水蒸気が蓄積すると、これが加圧力となって上記負圧状態を解消し、逆に沸騰水、つまり湯を積極的にカートリッジに向けて押し出すことから被抽出物からの抽出液の排出を促すことになるのである。
【００２５】
尚、注入する水の量、電子レンジの加熱時間は、濾過器の素材、そして大きさや厚み等によっても異なることになるが、主として被抽出物の種類や量、求める濃度やその風味等によって定められることになる。従って、実質的には被抽出物によって任意選択されることになり、設定されることになる。
【００２６】
次に、第２の発明は、前記容器本体と蓋体とはヒンジ具によって開閉自由に連結すると共に、蓋体の開閉自由端を容器本体に設けるクランプによって係止し、気密に閉塞することを特徴とした電子レンジ用のコーヒー等の濾過器を提供することにある（請求項２に係る発明）。
【００２７】
この第２の発明は、容器本体に対して前記ヒンジ具を介することによって蓋体を迅速、且つ確実に装着し、密閉状態に閉塞できることになる。
【００２８】
また、第３の発明は、前記容器本体の開口部と蓋体の下面周縁部には捻回操作によって係脱自由に係合し気密に閉塞する雄，雌の関係にあるねじ部を形成してなることを特徴とした電子レンジ用のコーヒー等の濾過器を提供することにある（請求項３に係る発明）。
【００２９】
この発明は、前記第２の発明のクランプに代えて容器本体と蓋体との閉塞関係を雌，雄ねじの捻回操作によって開閉できるようにしたもので、開閉を容易にし、且つ確実に行えるものとなる。
【００３０】
また、第４の発明は、前記容器本体の開口部と蓋体の下面の双方又はいずれか一方に密閉用のシール部材を一体に設けてなることを特徴とした電子レンジ用コーヒー等の濾過器を提供することにある（請求項４に係る発明）。
【００３１】
この発明は、容器本体の開口部に蓋体を被せたとき両者の間にシール部材を介入させることによって確実な密閉状態が形成できるようにしたことになる。
【００３２】
また第５の発明は、前記容器本体の底部に形成する装着部は、下方に向けて徐々に縮径するテーパー状の貫通孔であることを特徴とした電子レンジ用のコーヒー等の濾過器を提供することにある（請求項５に係る発明）。
【００３３】
この発明は、容器本体の底部に形成する装着部をテーパー状の貫通孔にすることによってカートリッジとの収まりを良くして水漏れを効果的に解消し、カートリッジ内を透過しない水若しくは湯によって抽出液が薄められるのを防止することになる。
【００３４】
また第６の発明は、前記容器本体の底部に形成する装着部は、上端開口部を囲んで底部上面を削って環状の鍔受け用凹部を備えることを特徴とした電子レンジ用のコーヒー等の濾過器を提供することにある（請求項６に係る発明）。
【００３５】
この発明は、容器本体の装着部に装着するカートリッジに対して鍔を形成するのに併せてこの鍔を受ける凹部を上記装着部の開口部を囲む容器本体の底部に形成して装着時に嵌め合わせ、これによって水密性を確保するようにしたことにある。
【００３６】
また第７の発明は、前記容器本体及び蓋体は電子レンジのマイクロ波を透過すると共に、所要の耐圧性，耐熱性及び耐水性を有する陶器，プラスチック等の素材で形成されることを特徴とした電子レンジ用のコーヒー等の濾過器を提供することにある（請求項７に係る発明）。
【００３７】
この発明は、電子レンジのマイクロ波を直接利用して濾過器の水を加熱沸騰させることからその素材としてマイクロ波を透過する陶製、プラスチック乃至ガラス製等の素材であることとしたもので、更には水の沸騰によって蓄積される蒸気圧に耐えられるようにその強度と耐熱性、耐水性を備えるものとしたのである。
【発明の効果】
【００３８】
以上説明のように、本発明濾過器によれば、容器本体と蓋体からなる濾過器であって極めてシンプルな構造に係るものであり、実施が容易であると共に極めて取扱いが容易な濾過器になっている。
ことに、本発明濾過器は、直接電子レンジを利用することができ、しかもカートリッジを装着して水を注入し、電子レンジに収納して所定時間加熱するだけで抽出液を濾過した状態で得られる便利さがあり、極めて実用性が高いものとなっている。
【００３９】
更に言えば、本発明濾過器は、電子レンジの加熱による水の沸騰に伴って発生する水蒸気圧を使って湯をカートリッジ内の被抽出物に通し、更には成分を抽出した抽出液を押し出して濾過器から強制的にカップ等の抽出液回収用容器に取り出すようにしたことから、充分な濃度の抽出液を手際よく、しかも簡単，確実に得られる利点がある。
【００４０】
また、本発明濾過器は、湯沸しに併せて電子レンジ内に収められるカートリッジ、更に言えばその内部に封入される被抽出物が、マイクロ波を受けるとき、水によって湿潤した状態におかれることから焦げ付くことがなく、従って被抽出物本来の風味をもって抽出できる利点がある。
【００４１】
また、本発明濾過器は、カートリッジを交換することによって再使用ができることから極めて経済的であり、しかも濾過器を構成する容器本体及び蓋体はシンプルな構造に係り、量産することも容易なものであることから廉価に提供できる利点がある。
【発明を実施するための最良の形態】
【００４２】
添付する図面は、本発明に係る電子レンジを使用して被抽出物から抽出液を濾過する濾過器の実施形態を示した実施例である。以下、図示する実施例に基づき本発明の特徴とするところを詳述する。
【実施例１】
【００４３】
図１は、本発明に係る濾過器の正面図であり、図２は蓋体を開放した状態の中央縦断正面図である。図面において、符号１は濾過器を示し、２は容器本体、３は蓋体、４は本発明濾過器に組込み使用される被抽出物、ここではコーヒー粉末５を封入するカートリッジを示す。
【００４４】
濾過器１を構成する容器本体２及び蓋体３は、電子レンジのマイクロ波を透過するプラスチック、ガラス、陶磁器等の素材から選択されるが、ここでは陶器が選択されている。
容器本体２は、カップ形に形成して開口部６の外周面に環状の凹部７を形成し、これに蓋体３を開閉自由に連結する連結金具８の固定枠８ａを止め付けられるようにしてある。そして、底部９の中央部には前記カートリッジ４を装着するための貫通孔状の装着部１０を形成する。
【００４５】
上記装着部１０は、図示するように下方に向かって徐々に縮径するテーパー形に形成し、上部開口部１１の周縁には前記底部９の上面を削って２段の環状をなす凹部１２を形成する。
【００４６】
一方、上記容器本体２の開口部６を閉ざす蓋体３は、全体の形状を倒皿形に形成し、筒状をなす縁部１３の端面に容器本体２の開口部６に当接してこれに密着するシリコン製のＯリング１４を一体に止着している。そして、上記縁部１３の外周面には前記連結金具８の一方を構成する揺動枠８ｂを止め付ける環状の凹部１５を形成する。
【００４７】
前記連結金具８は、容器本体２に蓋体３を開閉自由に連結するもので、固定枠８ａは半円弧状に曲成した２本の帯板片を向かい合せとなるようにして前記凹部７に前後方向から嵌め入れ、その各両端を連結することによって環状に組合うようにしてある。更に説明すると、ここでは２本の帯板片の一方の端部同士を連結環１６で結束し、他方の端部同士を両者の間に渡す連結軸１７で連結し、これら両端部の連結を通して全体として環状に組み合わせ容器本体２の外周面を取り巻くようにして固定している。
【００４８】
一方、前記揺動枠８ｂは、金属製の線材を材料に成形したもので、１本の線材を長さの途中でＵの字形に折り曲げ、更に折り曲げた２本の線材をそれぞれ半円弧状に曲成し、更にこれらの端部を直角に折り曲げると共に、その先端を向き合わせ方向に直角に折り曲げて枢着軸部１８，１８を設けている。この揺動枠８ｂは、上記半円弧状の部分を前記蓋体の凹部１５に嵌め入れて外周面に巻き付け、これに固定し、更に前記それぞれの先端に設けた枢着軸部１８，１８を前記固定枠８ａの一方の端部に形成する軸受穴１９，１９に挿入してこの固定枠８ａに回動自由に軸着してあり、この組付けによって連結金具８を構成するようにしてある。
【００４９】
この揺動枠８ｂは、前記枢着軸部１８，１８を支点にして回動し、蓋体３を容器本体２の開口部６に被せ、また開放することができる。そして、被せて閉塞したとき前記線材をＵ字形に折り曲げて形成した先端の係止部１９を前記固定枠８ａの一方の端部に備えるクランプ２０に臨ませ、これを掛け止めることによって蓋体３閉塞した状態に維持できるようにしてある。
【００５０】
クランプ２０は、金属板をコの字形に折り曲げ一端に摘み２１を設けた操作片２２と、この操作片の長さの途中に一端を回動自由に枢着する係止環２３から構成され、操作片２２を固定枠８ａの端部に渡す支軸２４に枢着することで連結金具８に回動自由に組み付けられる。
このクランプ２０は、支軸２４を支点に操作片２２を跳ね上げ、更に係止環２３を跳ね上げて前記係止部１９に掛け止めた後、前記操作片２２を支軸２４を支点に回動して摘み２１を引き下ろすことによってこの係止部１９をロックし、蓋体３を閉塞状態に拘束することができるようになっている。
【００５１】
カートリッジ４は、この実施例では下方に向かって縮径する倒円錐台形状の筒形の胴部４ａをプラスチック素材によって形成し、この胴部の上面と下面のそれぞれに不織布製のフィルター４ｂ，４ｃを張設してあり、内部に所要量のコーヒー粉末５を封入して構成してある。
このカートリッジの胴部４ａの上半部分の形状及び外径は、前記装着部１０の内周形状及びその内径と一致するものにしてあり、またこの胴部４ａの上部外周面には環状の鍔４ｄを形成してある。
【００５２】
上記の如く構成される本発明の濾過器１について、その使用を次に説明すると、先ず蓋体３を開放した状態にして容器本体２の内部に前記カートリッジ４を落し、底部９に開設する装着部１０に嵌め付ける。このとき、カートリッジ４をしっかり押付け、装着部１０の内周に胴部４ａの外周面を密着させると共に、鍔４ｄを底部９の上面に形成する凹部１２に押入れ、これに密着させて両者間を水密にする。
【００５３】
そうした後、装着部１０をカートリッジ４で塞いだ容器本体２の内部に成分抽出に使用する所要量の水２５を注ぎ込み、速やかに蓋体３を被せて開口部６を密閉する。
蓋体３は、前述したように枢着軸部１８を支点に回動して被せ、次に係止部１９にクランプ２０の係止環２３を掛け止めて拘束する。このとき、操作片２２の摘み２１の引き下ろしによって蓋体３を容器本体２側に引き付け、この引き付けを利用して蓋体３の縁部１３に設けたＯリング１４を圧縮し、蓋体３を気密の状態で閉塞する。
【００５４】
ところで、容器本体２に注がれた水２５は、本体２の内部に溜められると同時に、装着部１０に装着されたカートリッジ４にフィルター４ｂを通して浸入し、内部に封入したコーヒー粉末５を湿潤することになる。そして、この水２５が浸透する間に蓋体３が開口部６を密閉し、容器本体２の内部を気密に閉塞することから、水２５のカートリッジ４内への浸透が抑えられることになり、またこの状態で徐々にコーヒー粉末５の全体に浸透して湿潤することになることから、下方のフィルター４ｃからの流下が自動的に抑制されることになり、水の状態のまゝ通過するのを有効に阻止される。
【００５５】
この様にして蓋体３の閉塞によって内部を密閉した濾過器１は、図３に示した様に抽出液を回収する容器、つまりコーヒーカップ２６上に載置してセット状態を作り、このセット状態で電子レンジ（図示せず）内に持ち込み、所要時間加熱してコーヒー液の濾過を行うことになる。        
【００５６】
電子レンジのマイクロ波による加熱を受けると、濾過器内の水２５は次第に沸騰し、この沸騰によって水蒸気を発生させることになる。そして、この水蒸気を水面２５ａ上の濾過器の上部空間２７に溜めることになる。  
従って、一定時間加熱され沸騰状態が継続すると、濾過器内部に蒸気圧が蓄積し、内圧が溜まって沸騰した水２５、即ち沸騰した湯に対してこの蒸気圧が作用し、押し付けが開始されることになる。
この結果、沸騰した湯２５はカートリッジ４に向けて誘導され、フィルター４ｂを通して内部に浸透し、コーヒー粉末５を湿潤しながら成分を抽出し、コーヒー液となって下方のフィルター４ｃを通して濾過され、下のコーヒーカップ２６へと滴下し回収されることになる。
【００５７】
この間において、加熱前の濾過器の内部は、気密な状態にあってカートリッジ４内への水の浸透によってやゝ負圧の状態にあり、水の流出が抑制された状態にあるが、次に、電子レンジによる加熱が開始されると、水蒸気の発生によって次第に加圧される状態へと変化し、更に水の沸騰により蒸気圧が発生して内圧が高まると、水面を押圧して沸騰した湯のカートリッジ４への透過が積極的になり、コーヒー液の抽出が促進されることになる。
【００５８】
つまり、本発明濾過器においては、電子レンジによる加熱前においては内部の気密状態によって負圧が発生する状態にあり、加熱が開始され水が沸騰する状態になると蒸気の発生と共に蒸気圧が発生し、沸騰する水に圧力を掛けることになり、この沸騰する水を押し出すことになり、カートリッジ４への透過を促すことになるのである。
【００５９】
尚、この様に電子レンジの加熱力を使って濾過器の内部圧を制御し、カートリッジ４に対する湯の透過をコントロールすることから、例えば濾過器１に注入される水２５の量、電子レンジの加熱量、コーヒー粉末の量や粒子の状態、更にはカートリッジ４のフィルター４ｂ，４ｃのメッシュの大小等を調整し、その取り合わせを一定に設定すれば、一定時間の加熱によって一定濃度の一定量のコーヒー液を抽出することが可能となる。
また、このことからコーヒー粉末等被抽出物を一定に調整した一定のカートリッジを用意する一方、容器本体の内周に水の量を測る目盛りを表示し、これを目標に水を注入するようにすると、一定濃度の抽出液を簡単に得ることができる。
【００６０】
ところで、本発明濾過器では、電子レンジによる加熱に当って濾過器内部に注入した水を加熱沸騰すると同時に、装着部１０に装着したカートリッジ４に対してもマイクロ波を照射するため封入したコーヒー粉末５を加熱することになるが、前述したようにコーヒー粉末５には注入した水２５が予め浸透し、湿潤した状態に置かれることから、この湿潤した水がマイクロ波による加熱からコーヒー粉末５を護り、焦げ付くのを防止することになる。従って、焦げ付きによる苦味等の発生を未然に防ぎ、常に安定した風味を保障することができることになる。  勿論、上記コーヒー粉末５を湿潤する水は、加熱され湯になることによって直接成分を抽出することから、そのまゝ抽出液となってカップに回収されることになる。
【実施例２】
【００６１】
図４は、他の実施例における本発明濾過器の容器本体２と蓋体３の部分の中央縦断正面図である。
ここに示す実施例は、容器本体２と蓋体３の他の閉め合せを示したものである。前記連結金具８に代えて容器本体２の開口部６の外周面に雄形のねじ部３０を形成し、また蓋体３の筒状の縁部１３の内周面に雌形のねじ部３１を形成して、蓋体３の閉塞時には双方を捻回して螺合し、気密に緊締するようにした場合である。尚、図示していないが、気密性を図るため蓋体３の下面周縁に沿って、つまり容器本体の開口部６の縁部が当接する部分に前記したＯリング１４と同様のパッキンを止着するとよい。
【００６２】
この実施例は、濾過器の容器本体と蓋体の閉塞は前記第１の実施例に限られるものではないことを示したもので、蓋体が開閉できる構造であり、且つ密閉して容器本体の内部を気密にすることができる構造であれば特定の構造でなくとも良いことを示している。    
【実施例３】
【００６３】
図５は、本発明濾過器に使用する他のカートリッジ４０につき示したものである。
このカートリッジ４０は、全体の構造を前記カートリッジ４と同一形状にするが、ここで相違する点は、胴部４０ａと共に上下の面４０ｂ，４０ｃをプラスチック素材にして使用時に矢印ａで示した位置に小穴を開け、水の透過穴を多数穿つようにしたことである。
【００６４】
つまり、この実施例は、カートリッジを不織布などの素材を使用することなく透過穴を穿つことによってフィルターを形成しても良いことを示している。勿論、この場合、透過穴の径は被抽出物の大きさによって決定されるが、被抽出物が例えば茶葉のように比較的大きい場合に適している。そして、このフィルターの場合は透過穴を開ける前はカートリッジ４０の内部を完全に密封できることから、保管に当って保存性に優れ、取扱いが有利になる利点がある。
【００６５】
尚、図示しないが、カートリッジ全体を不織布などのフィルター素材によって形成してもよく、前記実施例の如くプラスチック素材を利用しなければならない制約はない。ただ、全体をフィルター素材にすると、装着したとき水密性に欠け、水漏れの問題がでることから、この様な場合には例えば胴部に非透水性のフィルムを貼るなどしてこれに対処すればよい。
【００６６】
以上、本発明の濾過器について、実施例に基づき説明したが、本発明濾過器は、容器本体２の装着部１０にカートリッジ４を装着し、所要量の水を注入して蓋体３で密閉し、後はコーヒーカップ等の適宜の容器２６の上に載置して電子レンジに持ち込み、所要の時間加熱すれば、自動的にコーヒー等の抽出液がカップに滴下回収されるので、極めて便利に使用することができる。
【００６７】
また、本発明濾過器は電子レンジ内に収納してスイッチを入れ、加熱することで抽出液を抽出する湯を沸かし、更にこの湯を強制的にカートリッジ４内を通して成分を抽出する構造とすることから、一々湯を沸かしたり、沸かした湯を濾過器に注ぐと言った手間を省くことができ、極めて便利に使用することができる。
ことに、カートリッジ内を強制的に沸騰した湯を通すことができることから、濃度の高い例えばエスプレッソの様な濃いコーヒーを淹れるのに適している。
【００６８】
また、本発明濾過器は、抽出作業の全てを電子レンジ内で行われることから安全に使用できる利点がある。
【００６９】
更に、本発明濾過器は、カートリッジ４に封入する被抽出物の種類や容量を予め定めて一定のものにしておけば、後は注入する水の量と加熱時間を設定すれば、一定の濃度の抽出液を得ることができる等品質を一定にできるので、極めて有利であり、また、この様にすることによってその風味を揃えることができるので、コーヒーや茶類の濾過器として最適である。
【００７０】
勿論、本発明濾過器は、容器本体の容量を替え、或はカートリッジの容量を替えることによって水の注入量を変え、これにより抽出液の液量を変えることができるので一人用、二人用と簡単に使い分けすることができる。また、本発明濾過器は、カートリッジを交換することによって何度でも再使用できるので経済的に優れている。
【図面の簡単な説明】
【００７１】
【図１】本発明に係る濾過器の閉塞状態の正面図。
【図２】蓋体を開放し、容器本体の装着部に向けてカートリッジを臨ませた状態の中央縦断正面図。
【図３】抽出液回収用の容器上に濾過器をセットした状態の要部の中央縦断正面図。
【図４】他の実施例における容器本体と蓋体の閉塞構造を説明する部分の中央縦断正面図。
【図５】カートリッジの他の実施例を示す中央縦断正面図である。
【符号の説明】
【００７２】
１            濾過器
２            容器本体
３            蓋体
４，４０      カートリッジ
４ａ          カートリッジの胴部
４ｂ          カートリッジの上面
４ｃ          カートリッジの下面
４ｃ          カートリッジの鍔
５            被抽出物たるコーヒー粉末
６            容器本体の開口部
８            連結金具
９            容器本体の底部
１０          装着部
１２          底部の上面に形成した凹部
１３          蓋体の縁部
１４          シール材としてのＯリング
１９          係止部
２０          クランプ
２５          濾過器に注入される水
２５ａ        水面
２７          容器本体内部の上部に形成される空間
【図１】
2010148704.tif 000003
【図２】
2010148704.tif 000004
【図３】
2010148704.tif 000005
【図４】
2010148704.tif 000006
【図５】
2010148704.tif 000007